(57)【要約】【課題】マネキン本体に対するアーム部の回動調整や着脱操作をワンタッチで迅速に行えるようにする。【解決手段】マネキン本体１のアーム取付面１аに取り付けられて軸挿入孔６を有するマネキン本体側取付板４と、アーム部２の基端部に取り付けられて、マネキン本体側取付板４の軸挿入孔６に係合可能に挿入される係合軸１２を持ったアーム支持部材９とを備え、軸挿入孔６には、挿入された係合軸１２の回転を規制する回転規制部６ｂを設け、アーム支持部材９には、係合軸１２に対して所定の回転角度で保持可能に支持されるアーム側取付板１１を設ける。【選択図】　　　図１
2004049448.tif 000002
【特許請求の範囲】
【請求項１】
マネキン本体のアーム取付面に取り付けられて軸挿入孔を有するマネキン本体側取付板と、アームの基端部に取り付けられて、前記マネキン本体側取付板の軸挿入孔に係合可能に挿入される係合軸を有するアーム支持部材とを備えて、前記マネキン本体側取付板の軸挿入孔には、挿入された前記係合軸の回転を規制する回転規制部が設けられ、前記アーム支持部材には、前記アームの基端面に固定されて、前記係合軸に対して所定の回転角度で保持可能に支持されるアーム側取付板が設けられていることを特徴とするマネキンのアーム連結構造。
【請求項２】
前記軸挿入孔が、前記係合軸の頭部が挿入可能な円形部と、前記係合軸の頭部に対し軸方向に連続し、かつこの頭部より小径の非円形の首部を回転不可能に支持する回転規制部とからなることを特徴とする請求項１に記載のマネキンのアーム連結構造。
【請求項３】
前記係合軸には、これの軸方向に摺動自在で回転が規制された摩擦部材が、前記アーム側取付板に摩擦接触するように挿通されていることを特徴とする請求項１に記載のマネキンのアーム連結構造。
【請求項４】
前記アーム側取付板および摩擦部材の一方には一または複数の凸部が設けられ、他方には前記凸部に嵌合する複数または一の凹部が設けられていることを特徴とする請求項３に記載のマネキンのアーム連結構造。
【請求項５】
前記係合軸には、前記摩擦部材をアーム側取付板に圧接する方向に付勢するスプリングが取り付けられていることを特徴とする請求項３または請求項４に記載のマネキンのアーム連結構造。
【発明の詳細な説明】
【０００１】
【発明の属する技術分野】
本発明は、マネキン本体に対してアームを着脱自在かつ回動操作可能に連結するマネキンのアーム連結構造に関する。
【０００２】
【従来の技術】
マネキンは、例えばトルソなどのマネキン本体に対して、アーム（あーむ）部やネック（首）部、あるいはフット・レッグ（脚・足）部を組み合わせたものからなり、マネキン本体とアーム部とは通常ボルトナットなどの締結部品を用いて固定され、洋服などの衣服の展示に供されている。
【０００３】
一方、ファッションやデザインの多様化にともなって、マネキンが一体で様々なポーズを持つことが求められており、このため、アーム部をマネキン本体に対して回動操作可能にしたものが提案されている。また、マネキンへの衣服の着せ替えを容易にするために、マネキン本体に対しアーム部をねじにより着脱自在にしたものが提案されている。
【０００４】
【発明が解決しようとする課題】
しかしながら、このような従来のマネキンにあっては、アーム部をマネキン本体に対し所定の方向を向くように回動調整するのに、ねじを緩める作業およびねじを締める作業を幾度となく繰り返す必要があり、従って必要とするポーズをマネキンにとらせるのに長時間を要するうえ，結果として想定するポーズを得ることができない。
【０００５】
本発明は前記のような従来の問題を解決するものであり、マネキン本体に対するアーム部の回動調整や着脱操作を、ワンタッチにて簡単かつ迅速に行えるようにするとともに、これらの回動調整や着脱操作を、工具を用いないで、またマネキン本体やアーム部に傷をつけないで実施できるマネキンのアーム連結構造を得ることを目的とする。
【０００６】
【課題を解決するための手段】
前記目的達成のため、請求項１の発明にかかるマネキンのアーム連結構造は、マネキン本体のアーム取付面に取り付けられて軸挿入孔を有するマネキン本体側取付板と、アームの基端部に取り付けられて、前記マネキン本体側取付板の軸挿入孔に係合可能に挿入される係合軸を有するアーム支持部材とを備え、前記マネキン本体側取付板の軸挿入孔には、挿入された前記係合軸の回転を規制する回転規制部を設け、前記アーム支持部材には、前記アームの基端面に固定されて、前記係合軸に対して所定の回転角度で保持可能に支持するアーム側取付板を設けたことを特徴とする。
【０００７】
これにより、マネキン本体に対するアーム部の着脱が、係合軸の軸挿入孔への挿入によって簡単、迅速に行うことができる。また、このとき軸挿入孔に挿入された係合軸は回転規制部内に嵌まり込むため、この軸挿入孔内での回転が規制され、この回転が規制された係合軸に対して、アーム部側に固定されたアーム側取付板を所定の回転角度で保持可能に回転させることで、アーム部の回転位置（角度）を簡単に設定できる。
【０００８】
また、請求項２の発明にかかるマネキンのアーム連結構造は、前記軸挿入孔を前記係合軸の頭部が挿入可能な円形部と、前記係合軸の頭部に対し軸方向に連続し、かつこの頭部より小径の非円形の首部を回転不可能に支持する回転規制部とから構成したことを特徴とする。これにより、マネキン本体に対するアーム部の連結が、係合軸の円形部への挿入と回転規制部に対する係合によって、自然脱落の発生なく確実に行うことができる。
【０００９】
また、請求項３の発明にかかるマネキンのアーム連結構造は、前記係合軸に、これの軸方向に対し摺動自在であって回転が規制された摩擦部材を、前記アーム側取付板に摩擦接触するように挿通させたことを特徴とする。これにより、係合軸に対するアーム側取付板の自由回転を規制しながら、アーム取付板の係合軸に対する保持角度を任意に設定できる。
【００１０】
また、請求項４の発明にかかるマネキンのアーム連結構造は、前記アーム側取付板および摩擦部材の一方に一または複数の凸部を設け、他方には前記凸部に嵌合する複数または一の凹部を設けたことを特徴とする。これにより、凸部と凹部の相互の嵌合位置を選択することで、アーム支持部材に対するアーム側取付板の角度を確実かつ安定的に保持できる。
【００１１】
また、請求項５の発明にかかるマネキンのアーム連結構造は、前記係合軸に、前記摩擦部材をアーム側取付板に圧接する方向に付勢するスプリングを取り付けたことを特徴とする。これにより、係合軸に対して回転方向に一体となっている摩擦部材が、アーム側取付板に適当な摩擦抵抗で接触し、従って係合軸に対するアーム取付板の保持角度を安定に維持でき、衣服を着けたマネキンのあーむが自身の重量や衣服の重みで自然に下方へ回転したり、傾いたりするのを未然に防止できる。
【００１２】
【発明の実施の形態】
以下に、本発明の実施の形態を図について説明する。図６はマネキンＡを一部破断して示す斜視図であり、これがトルソであるマネキン本体１にアーム部２を連結したものからなる。これらのうち、マネキン本体１は、図１に示すようなアーム取付面１ａの略中央部に凹部１ｂを有し、この凹部１ｂ内に所定深さの円形状のケース３が容易に外れないように嵌め込まれている。このケース３は金属板や合成樹脂板などからなり、図上では右方に開口している。
【００１３】
また、アーム取付面１ａには、前記ケース３の開口部を被うように円板状のマネキン本体側取付板４が木ねじ５などにより固定されている。なお、このマネキン本体取付板４は、これの外側面（図上、右側面）がアーム取付面１ａに対して僅か突出するように、このアーム取付面１ａ内に一部が埋め込まれている。
【００１４】
前記マネキン本体側取付板４は、図２の正面図に示すように、その中央部付近に円形部６ａおよび回転規制部６ｂが上下に連続する軸挿入孔６を有する。この軸挿入孔６はケース３の開口部に臨む。また、円形部６ａは後述の係合軸の頭部が自由に挿入できる径を持ち、回転規制部６ｂは後述の係合軸の首部が嵌まり込んで、この首部の回転を規制する非円形部となっている。なお、マネキン本体側取付板４上の四箇所には木ねじ５を挿通するための孔（皿孔）７が穿設されている。
【００１５】
一方、アーム部２はアーム基端部の略中央部に截頭円錐形の凹部８を有し、この凹部８内に一部が嵌まり込むように、アーム支持部材９がアーム基端面２ａ側に取り付けられている。このアーム支持部材９は、アーム基端面２ａにねじ１０によって固定した、図４に示すようなアーム側取付板１１に対し、係合軸１２を回転自在に挿通したものからなる。従って、係合軸１２に対して、アーム側取付板１１を取り付けているアーム部２が回転自在に支持される。
【００１６】
また、アーム側取付板１１は凹部８の開口部を塞ぐように設けられ、その開口部に対向するアーム側取付板の所定位置に、一または複数個の、ここでは例えば一つの凸部１３が内面側に突出するように一体に形成されている。さらに、その凸部１３を被うように、アーム側取付板１１の内面側に、円形状のケース１４がフランジ部で溶接などにより固定されている。
【００１７】
そして、このケース１４内には金属やプラスチックなどからなる円板状の摩擦部材１５が収納されており、この摩擦部材１５のアーム側取付板１１側には、図５に示すように複数の凹部１６が同一径の円周上に等間隔で配置されている。また、これらの凹部１６の一つに前記アーム側取付板１１に配置された前記凸部１３が嵌まり込んでいる。
【００１８】
アーム側取付板１１、ケース１４および摩擦部材１５の中心部にはそれぞれ透孔１１ａ、１４а、１５аが形成されており、これらの透孔１１а、１４а、１５ａには、係合軸１２の頭部１２ａより小径で、鼓状の首部１２ｂおよびねじ軸部１２ｃを連続的に有する係合軸１２の前記ねじ軸部１２ｃが挿通されている。このねじ軸部１２ｃの外周には軸方向に延びる一本のキー溝１７が形成されており、このキー溝１７には、摩擦部材１５の透孔１５а内周に突設されたキー突条１５ｂが軸方向摺動自在に嵌合されている。従って、摩擦部材１５は係合軸１２に対する回転が規制されている。
【００１９】
さらに、係合軸１２のねじ軸部１２ｃ端にはナット１８がねじ込まれており、このナット１８と摩擦部材１５との間のねじ軸１２ｃ廻りに、スプリングとしてのコイルスプリング１９が介装されている。従って、このコイルスプリング１９は自身の反発力によって摩擦部材１５をアーム側取付板１１の内面側に常時押圧し、これらの摩擦力を十分な大きさにするとともに、凸部１３と凹部１６の嵌合を確実なものにしている。なお、アーム側取付板１１上の四箇所には木ねじ１０を挿通するための孔（皿孔）２０が穿設されている。
【００２０】
次に、このように構成された連結構造の各部材を用いて、マネキン本体１とアーム部２とを連結する手順について説明する。まず、スタンドなどに支持されたマネキン本体（トルソ）のアーム取付面１ａに対し、手で支持したアーム部２のアーム支持部材９を対向させる。さらに、係合軸１２の頭部１２ａを、マネキン本体側取付板４における軸挿入孔６の円形部６ａに位置させ、この円形部６ａに貫通させるようにしてケース３内に挿し込み、この操作をマネキン本体側取付板４に対してアーム側取付板１１が当接するまで行う。
【００２１】
続いて、手によるアーム部２の支持を解除する。これにより、アーム部２は自重により下降し、係合軸１２の首部（非円形部）１２ｂが円形部６ａに連続する回転規制部６ｂ内に落ち込んで停止する。回転規制部６ｂは首部１２ｂの鼓状部を回転不可能に保持する二つの平行面を持つため、首部１２ｂは回転規制部６ｂ内において回転不可能となる。このとき、頭部１２ａは回転規制部６ｂよりも大径であるため、ケース３内にあって回転規制部６ｂからフリーに脱出することはない。従って、アーム部２をマネキン本体１に対して簡単かつ迅速に連結することができる。
【００２２】
一方、この連結状態において、アーム部２をマネキン本体１に対して所定の角度に保持させるには、アーム部２を手で支えながら、前記連結構造部分を中心にして、例えば前方から上方斜めに回動操作し、希望する所定の角度で手を離す。このアーム部２の回動操作によって、このアーム部２とともにアーム側取付板１１およびケース１４が回転する。しかし、コイルスプリング１９の反発力を受けて摩擦部材１５がアーム側取付板１１の内面に圧接されることで、これらの間には摩擦抵抗が発生し、従って、アーム部２は、その回動操作を停止して手を離した位置で自動的に停止するとともに、この停止状態が保持される。
【００２３】
さらに、前記アーム部２の回動操作によって、軸挿入孔６の回転規制部６ｂにより首部１２ｂで回転が規制された係合軸１２に対して、すなわちこの係合軸１２に対し回転が規制された摩擦部材１５上のいずれかの凹部１６に対して、アーム側取付板上の凸部１３が嵌まり込むため、回動操作して手を離した位置にて、アーム部を確実にかつ長期に亘って安定的に保持することができる。つまり、アーム部２を回動操作して手を離したいずれの位置においても、このアーム部２を安定に保持でき、アーム部２の回動角度の選定によるマネキンのポーズ設定を、展示する衣服に合わせて任意に行える。
【００２４】
また、アーム部２をマネキン本体１から取り外したり、他のアーム部と交換したりする場合には、アーム部２を手で上方へ持ち上げるようにして、係合軸１２の首部１２ｂをマネキン本体側取付板４における軸挿入板６の回転規制部６ｂから円形部６ａと移動させ、さらに頭部１２ａをケース３内から円形部６ａを介して水平方向に抜き取る。これにより極めて容易かつ迅速に、アーム部２の取り外しあるいは交換を、工具を用いることなく行える。
【００２５】
なお、前記実施の形態とは異なり、摩擦部材１５に例えば一個の凹部１６を設け、アーム側取付板１１の内面の同一半径上に複数（多数）の凸部１３を配置することによっても、アーム部２の回転角度の設定を前記同様に安定的に実施できる。
【００２６】
【発明の効果】
以上のように、本発明によれば、マネキン本体のアーム取付面に取り付けられて軸挿入孔を有するマネキン本体側取付板と、アームの基端部に取り付けられ、前記マネキン本体側取付板の軸挿入孔に係合可能に挿入される係合軸を有するアーム支持部材とを備え、前記マネキン本体側取付板の軸挿入孔には、挿入された前記係合軸の回転を規制する回転規制部を設け、前記アーム支持部材には、前記アームの基端面に固定されて、前記係合軸に対して所定の回転角度で保持可能に支持されるアーム側取付板を設けたので、マネキン本体に対するアーム部の着脱が係合軸の軸挿入孔への挿入によって簡単、迅速に行うことができる。また、軸挿入孔に挿入された係合軸は回転規制部内に嵌まり込むため、この軸挿入孔内での回転が規制され、この回転が規制された係合軸に対して、アーム部側に固定されたアーム側取付板が所定の回転位置で保持可能に回転することで、アーム部の回転位置（角度）を簡単に設定できるという効果が得られる。
【００２７】
また、軸挿入孔を、前記係合軸の頭部が挿入可能な円形部と、前記係合軸の頭部に対し軸方向に連続し、かつこの頭部より小径の非円形の首部を回転不可能に支持する回転規制部とから構成したので、マネキン本体に対するアーム部の連結が、係合軸の円形部への挿入と回転規制部に対する係合によって、自然脱落の発生なく確実に行うことができる。さらに、前記係合軸には、これの軸方向に摺動自在で回転が規制された摩擦部材を、前記アーム側取付板に摩擦接触するように挿通させたことで、係合軸に対するアーム側取付板の自由回転を規制しながら、アーム取付板の係合軸に対する保持角度を任意に設定できる。そして、前記アーム側取付板および摩擦部材の一方には一または複数の凸部を設け、他方には前記凸部に嵌合する複数または一の凹部を設けることで、凸部と凹部の相互の嵌合位置を選択することで、アーム支持部材に対するアーム側取付板の角度を確実かつ安定的に保持できる。
【００２８】
さらに、前記係合軸には、前記摩擦部材をアーム側取付板に圧接する方向に付勢するスプリングを取り付けたので、係合軸に対して回転方向に一体となる摩擦部材が、アーム側取付板に適当な摩擦抵抗で接触することとなり、係合軸に対するアーム取付板の保持角度を安定に維持できる。従って、衣服を着けたマネキンのアームが自身の重量や衣服の重みで自然に下方へ回動したり、傾いたりするのを未然に防止できるという効果が得られる。
【図面の簡単な説明】
【図１】本発明の実施の一形態によるマネキン本体の要部を示す断面図である。
【図２】図１におけるマネキン本体側取付板を示す正面図である。
【図３】本発明の実施の一形態によるアーム部の要部を示す断面図である。
【図４】図３におけるアーム支持部材を示す正面図である。
【図５】図３における摩擦部材を示す正面図である。
【図６】本発明の実施の一形態によるマネキンの要部を示す斜視図である。
【符号の説明】
１…マネキン本体
１ａ…アーム取付面
２…アーム部
４…マネキン本体側取付板
６…軸挿入孔
６ａ…円形部
６ｂ…回転規制部
９…アーム支持部材
１１…アーム側取付板
１２…係合軸
１２ａ…頭部
１２ｂ…首部
１３…凸部
１５…摩擦部材
１６…凹部
１９…コイルスプリング（スプリング）
【図１】
2004049448.tif 000003
【図２】
2004049448.tif 000004
【図３】
2004049448.tif 000005
【図４】
2004049448.tif 000006
【図５】
2004049448.tif 000007
【図６】
2004049448.tif 000008